(57)【特許請求の範囲】
【請求項１】
天板および周板を備えると共に内部に空間を有し、前方に開口する器具本体と、
前記器具本体の内部の所定位置に配置されると共に、光源が実装される実装基板と、
前記器具本体の内部において、前記実装基板の前方に配置される反射板と、
前記器具本体の前方側の端部に一体的に固定される枠体と、
を備える、前方に光を照射する照明器具であって、
前記実装基板の、前後方向である縦方向に垂直な方向である横方向における端面は、絶縁材で覆われない非絶縁の端部であり、
前記枠体の後方側の端部は前記器具本体に連接し、
前記器具本体は、
前記枠体に連接される面である連接面から縦方向に伸びる部分である第１部分と、
前記第１部分の後方側の端部から、前記横方向に延びる部分である第２部分と、
を有し、
前記反射板は、
前記光源に対応して設けられる反射鏡部を備える反射板本体と、
前記反射板本体の外周縁に沿って、縦方向に設けられる周壁と、
を有し、
かつ、前記周壁は、前記実装基板における前記非絶縁の端部の近傍において、前記実装基板の後方側の面よりも後方に位置する延長部を有し、前記延長部の後方側の端面は、前記器具本体における前記第２部分の前方側の端面に当接しており、
前記器具本体の前記第１部分、前記第２部分および前記反射板の前記周壁における前記延長部によって断面形状が凹形状であり、前記器具本体の第１部分と前記延長部との間に絶縁空間を有する部分が構成され、
前記器具本体における前記連接面から、前記反射板の前記延長部の後方側の端面までの高さに相当する前記縦方向の距離を第１垂直距離とし、前記実装基板の前記非絶縁の端部の側面から前記枠体までの前記横方向の距離を水平距離とし、前記反射板の前記周壁における前記延長部の高さに相当する縦方向の距離を第２垂直距離とした場合に、前記実装基板における前記非絶縁の端部と前記枠体との間の絶縁距離は、前記第１垂直距離と、前記水平距離と、前記第２垂直距離との和となる照明器具。
【請求項２】
請求項１に記載の照明器具において、
前記実装基板の前記非絶縁の端部の端面から前記器具本体までの横方向の絶縁距離は、前記第２垂直距離よりも大きい照明器具。
【発明の詳細な説明】
【技術分野】
【０００１】
本発明は、例えばＬＥＤを光源として天井施工面に埋設されて使用される照明器具に関する。
【背景技術】
【０００２】
従来より，ＬＥＤを光源として用い、天井面に埋設されて使用される照明器具が知られている（例えば、特許文献１参照）。
【０００３】
図６に示すように、特許文献１に記載の照明器具１００は、天井に設けられた取付け孔に挿入させることで、設置されるダウンライトである。この照明器具１００は、略円筒形状であって下方に開口を有する器具本体１０２および枠体１０６を有し、内部に光源としてＬＥＤ１０１を複数個実装した実装基板１０７を収容する。器具本体１０２の上部には、ＬＥＤ１０１に電力を供給する電源装置１０３を有する。電源装置１０３は、アーム部１０４を介して器具本体外周の外側領域に位置するように設けられている。そして、複数の放熱フィン１０５を器具本体１０２の上面に設け、この放熱フィン１０５から略水平にアーム部１０４を結合させて、電源装置１０３を器具本体外周の外側領域に突出するように設けている。
この照明装置１００は、天井面に埋設され、器具本体１０２の開口１０６を天井面から露出するとともに、電源装置１０３等を天井面の裏側に収容する。
【先行技術文献】
【特許文献】
【０００４】
【特許文献１】特開２００８−１５９４５５号公報（図１）
【発明の概要】
【発明が解決しようとする課題】
【０００５】
ところで、ＬＥＤを用いた照明器具には、電気的安全性の観点から、日本電球工業会規格（JEL811 2005の欄の7.1絶縁抵抗）において、充電部と人が触れる可能性のある可触部分の電気特性について規定されている。すなわち、充電部である実装基板から可触部分である枠との間の絶縁を確保するように規定されており、実装基板１０７と器具本体１０２との間に絶縁材１０８を設けて、実装基板１０７と器具本体１０２に取り付けられる枠体１０６との間の絶縁を図るのが一般的である。
【０００６】
しかしながら、このような従来の照明器具１００では、実装基板１０７と枠体１０６との間の絶縁距離を十分に確保するには、絶縁材１０８の幅（厚さ）を大きくして絶縁距離を伸ばすことが行われているため、照明器具１００のコンパクト化を妨げるという問題がある。
【０００７】
本発明は、従来の問題を解決するためになされたもので、照明器具のコンパクト化を妨げることなく、実装基板と枠体との間の絶縁距離を伸ばすことができる照明器具を提供することを目的とする。
【課題を解決するための手段】
【０００８】
本発明の照明器具は、天板および周板を備えると共に内部に空間を有し、前方に開口する器具本体と、器具本体の内部の所定位置に配置されると共に、光源が実装される実装基板と、器具本体の内部において、実装基板の前方に配置される反射板と、器具本体の前方側の端部に一体的に固定される枠体と、を備える、前方に光を照射する照明器具であって、実装基板の、前後方向である縦方向に垂直な方向である横方向における端面は、絶縁材で覆われない非絶縁の端部であり、枠体の後方側の端部は前記器具本体に連接し、器具本体は、枠体に連接される面である連接面から縦方向に伸びる部分である第１部分と、第１部分の後方側の端部から、横方向に延びる部分である第２部分と、を有し、反射板は、光源に対応して設けられる反射鏡部を備える反射板本体と、反射板本体の外周縁に沿って、縦方向に設けられる周壁と、を有し、かつ、周壁は、実装基板における非絶縁の端部の近傍において、実装基板の後方側の面よりも後方に位置する延長部を有し、延長部の後方側の端面は、器具本体における第２部分の前方側の端面に当接しており、器具本体の第１部分、第２部分および反射板の周壁における延長部によって断面形状が凹形状であり、器具本体の第１部分と延長部との間に絶縁空間を有する部分が構成され、器具本体における連接面から、反射板の延長部の後方側の端面までの高さに相当する縦方向の距離を第１垂直距離とし、実装基板の非絶縁の端部の側面から枠体までの横方向の距離を水平距離とし、反射板の周壁における延長部の高さに相当する縦方向の距離を第２垂直距離とした場合に、実装基板における非絶縁の端部と枠体との間の絶縁距離は、第１垂直距離と、水平距離と、第２垂直距離との和となるものである。
【０００９】
また、本発明の照明器具は、実装基板の非絶縁の端部の端面から器具本体までの横方向の絶縁距離は、第２垂直距離よりも大きいものである。
【発明の効果】
【００１０】
本発明は、絶縁距離部を設けて、絶縁材で覆われていない実装基板の端面と枠体との間の絶縁距離を延長したので、光源を実装した実装基板の端面と枠体との間の絶縁を確保することができるという効果を有する照明器具を提供できる。
【図面の簡単な説明】
【００１１】
【図１】本発明に係る実施形態の照明器具を示す斜視図
【図２】（Ａ）は本発明に係る実施形態の照明器具の側面図、（Ｂ）は（Ａ）中Ｂ−Ｂ位置の断面図
【図３】（Ａ）は図２（Ｂ）中ＩＩＩ部分の拡大図、（Ｂ）は（Ａ）中Ｂ部分の拡大図
【図４】実装基板の端面と枠体との間の絶縁距離を示す断面図であり、（Ａ）は絶縁距離部を設けない場合の図、（Ｂ）は絶縁距離部を設けた場合の図
【図５】（Ａ）は照明器具の側面，（Ｂ）は（Ａ）中Ｂ部分における実装基板の端面と器具本体との間の絶縁距離を示す断面図
【図６】従来のダウンライトの斜視図
【発明を実施するための形態】
【００１２】
以下、本発明の実施形態の照明器具について、図面を用いて説明する。
図１および図２に示すように、本発明に係る実施形態の照明器具１０は、天井面１１に設けられた取付穴１２に埋設して下方を照明するダウンライトとして用いることができる。照明器具１０は、器具本体２０と、器具本体２０に収容され照明光を照射するＬＥＤ発光部３０と、器具本体２０の下方に一体的に取り付けられる枠体４０と、点灯電源装置５０を有する。
【００１３】
器具本体２０は、絶縁性を有する硬質な樹脂材料を用いて天板２１と周板２２とを有する円筒形状に形成されており、前方（ここでは、下方）に開口（前面開口２７、図３（Ａ）参照）している。天板２１の上面には、上方に向けて突出形成されている複数の放熱フィン２３と、ＬＥＤ発光部３０に点灯のための電力を供給する点灯電源装置５０が取り付けられている。点灯電源装置５０は、器具本体２０の天板２１から外側に大きく張り出して設けられており、端部に取り付けられた電源端子台５１を通じて外部の商用電源に電気的に接続されている。
【００１４】
枠体４０は、器具本体２０の外径寸法と同一の外径寸法を有する円筒形状に形成されており、器具本体２０の下側にネジ２４により一体的に組み付けられている。枠体４０の内面４１は、例えば楕円や放物面状の曲面に形成されており、ＬＥＤ発光部３０からの光を所定の方向および範囲に反射する。枠体４０の下端面には、取り付け状態で天井面１１下面に露出する円環状の鍔部４３が一体的に設けられている。また、枠体４０の外周部４２には、複数（ここでは、例えば３個）の取付バネ４４が、外周部４２の周方向に沿って略等間隔で取り付けられている。
【００１５】
従って、照明器具１０を天井面１１の取付穴１２に取り付ける際には、取付バネ４４を器具本体２０の上方（図１中矢印Ａ方向）へ弾性変形させて取付穴に挿入する。その後、手を放して取付バネ４４が水平方向（図１中矢印Ｂ方向）へ開くことにより、取付バネ４４の下面と鍔部４３の上面との間に天井面１１を挟んで、照明器具１０を天井面１１に固定する。
【００１６】
図３に示すように、ＬＥＤ発光部３０は、光源である複数個のＬＥＤ３１と、ＬＥＤ３１が実装される実装基板３２を有する。実装基板３２は、絶縁シート３３を介して器具本体２０の下面２５に接触する。実装基板３２の下側には反射板３４が設けられている。反射板３４は、円板形状の本体３４１と、本体３４１の外周縁に沿って垂直に設けられた周壁３４３を有する。本体３４１には、ＬＥＤ３１の前方に位置し、ＬＥＤ３１の個数に対応して反射鏡部３４２が設けられており、ＬＥＤ３１の光を下方へ反射する。
【００１７】
また、反射板３４の下側には、透光性の前面パネル３５が設けられる。前面パネル３５の外周縁下面は、パッキン３６を介して枠体４０に支持されている。
従って、前面パネル３５、反射板３４、実装基板３２および絶縁シート３３は、パッキン３６の弾性力を介して、器具本体２０と枠体４０との間に保持される。
【００１８】
図３（Ｂ）に示すように、実装基板３２の端面３２１は、絶縁シート３３等の絶縁体によって覆われておらず、露出している。従って、充電部である実装基板３２の端面３２１と、人が触れる可能性のある可触部分である枠体４０との間の絶縁距離Ｌ１は、図４（Ａ）に示すように、端面３２１から枠体４０までの水平距離ＬＡと、端面３２１から枠体４０までの鉛直距離ＬＢとの和になる。
【００１９】
ここで、絶縁距離Ｌ１を延ばす場合、水平距離ＬＡまたは鉛直距離ＬＢを延ばせばよい。水平距離ＬＡを延ばすと、前述したように、照明器具１０のコンパクト化を妨げるので、鉛直距離ＬＢを延ばすことが考えられる。
そこで、本実施形態にかかる照明器具１０においては、図４（Ｂ）に示すように、絶縁距離部として凹部（溝部）２６を設けるとともに、周壁３４３の上側に延長部３４４を延長して設けて、延長部３４４の上端面３４５が凹部２６の下端面２６１に当接するようにした。これにより、実装基板３２の端面３２１から器具本体２０の下端面２６１までの距離を延長した。
【００２０】
従って、絶縁距離Ｌ２は、実装基板３２の端面３２１から器具本体２０の凹部２６の下面２６１までの距離ＬＢ１と、水平距離ＬＡと、凹部２６の下端面２６１から枠体４０までの垂直距離ＬＢ２を加えたものとなる。
【００２１】
図５には、実装基板３２の端面３２１と器具本体２０との間の絶縁距離を示している。実装基板３２の端面３２１と器具本体２０との間の水平方向の絶縁距離Ｌ３と、鉛直方向の絶縁距離Ｌ４とを比較すると、絶縁距離Ｌ３＞絶縁距離Ｌ４であるから、絶縁距離はＬ４で支配される。すなわち、絶縁距離Ｌ４を延ばすことにより、絶縁距離は長くなる。
従って、図４（Ｂ）において前述したように、鉛直距離を伸ばすことにより、実装基板３２の端面３２１と器具本体２０との間の絶縁距離も伸びる。
【００２２】
以上、説明した本発明に係る実施形態の照明器具によれば、凹部２６を設けることにより、絶縁材で覆われていない実装基板３２の端面３２１と枠体４０との間の絶縁距離を延長したので、ＬＥＤ３１を実装した実装基板３２の端面３２１と枠体４０との間の絶縁を確保することができる。
【００２３】
また、器具本体２０に凹部２６を設けることにより、実装基板３２の端面３２１と器具本体２０との間の空間絶縁距離を確保できる。
【００２４】
なお、本発明の照明器具は、前述した実施形態に限定されるものでなく、適宜な変形，改良等が可能である。
【符号の説明】
【００２５】
１０  照明器具
２０  器具本体
２６  凹部（絶縁距離部、溝部）
２７  前面開口
３１  ＬＥＤ（光源）
３２  実装基板
３２１  端面
４０  枠体
Ｌ１，Ｌ２，Ｌ３，Ｌ４  絶縁距離
【図１】
0005610612.tif 000002
【図２】
0005610612.tif 000003
【図３】
0005610612.tif 000004
【図４】
0005610612.tif 000005
【図５】
0005610612.tif 000006
【図６】
0005610612.tif 000007